(57)【要約】【課題】  カバー帯２４ｂ、２４ｃを収納する為の収納部３２ｂ、３２ｃを設ける事で、突き合わせ框９ｂとシール材３８との係り代Ｌが小さくなっても、強風時等に隙間風の発生を防止する。【解決手段】  上記突き合わせ框９ｂと上框及び下框との突き合わせ結合部に、鉄系金属製の補強板４０を設ける。この結果、これら各結合部の剛性が向上し、強風時にもガラス障子２ｂの変形を抑えて、上記突き合わせ框９ｂと上記シール材３８との間に隙間が生じる事を防止し、上記課題を解決する。【選択図】  図３
2005226324.tif 000002
【特許請求の範囲】
【請求項１】
下辺を構成する下框に複数の戸車を、横軸を中心とする回転自在に支持した引戸障子と、これら各戸車の外周面に全周に亙って形成した凹溝と係合する事でこの引戸障子の水平移動を案内する下部案内レールをその上面に形成した下枠を含む窓枠とを備えた引戸装置に於いて、この下部案内レールは、この下枠の上面に上記引戸障子の移動方向に亙って存在する凹部の底面から上方に突出した状態で設けられ、その上端縁がこの下枠の上面のうちでこの凹部の両側に存在する部分よりも上方には突出しないものであり、上記引戸障子の縦辺を構成する竪框の下端部と上記窓枠の端部との間に設けたカバー帯をこの引戸障子の移動に伴って移動させる事により、上記凹部の上端開口部で上記引戸障子により覆われていない部分を覆う様に構成しており、上記カバー帯は、可撓性及び押し付け力により移動可能な程度の剛性を有する弾性材製であり、このカバー帯の一端が上記竪框の下端部に結合されると共に、上記カバー帯の中間部が、互いに直角に結合された下枠と竪枠との連続部に固定されたガイド部材の内部に設けられたガイド通路に案内されて、移動方向を水平方向から垂直方向に９０度変更されており、垂直方向に移動する上記カバー帯の一部は、上記竪枠を構成する竪枠本体の内側面とこの竪枠本体の内面に添設された内側ブラケットの外側面との間に設けられた収納部内に存在しており、上記竪枠の内側面で、引戸障子を閉鎖位置に移動させた状態で上記竪框の側面に対向する部分に形成した係止突条にその基端部を係止したシール材を構成するシールリップを、上記竪框の側面に当接自在としており、上記竪枠と対向する竪框の下端部でこの竪框の下端部内側面と上記下框の端部との突き合わせ部に対応する部分に、鉄系金属製の補強板を添設している引戸装置。
【請求項２】
竪枠と対向する竪框の下端部でこの竪框の下端部内側面と下框の端部との突き合わせ部に対応する部分に加えて、この竪框の上端部内側面と引戸障子の上辺を構成する上框の端部との突き合わせ部に対応する部分にも鉄系金属製の補強板を添設している、請求項１に記載した引戸装置。
【発明の詳細な説明】
【技術分野】
【０００１】
この発明は、バリアフリーサッシと呼ばれる、下枠の上面を平坦にした窓枠に引戸障子を建て込んで成る引戸装置の改良に関する。
【背景技術】
【０００２】
高齢者や身体障害者の移動の容易性を確保する為に、バリアフリーサッシと呼ばれる、下枠の上面を平坦にした窓枠の構造が、例えば特許文献１〜４に記載される等により、従来から各種知られている。これら各特許文献に記載された構造は、何れも、引戸障子の下框に設置した戸車の外周面が単なる円筒面で、上記下枠の上面でこの戸車の外周面が転がり接触する部分が平坦面となっている。
【０００３】
この様な従来構造の場合、戸車として、従来一般的に使用されていたものとは異なる、特殊なものを使用する為、今後広く普及しない限り、コストが嵩む可能性がある。特に現状では、故障した戸車を修理・交換する際に、戸車の取り寄せに要する手間やコストが、一般的な、外周面に全周に亙って凹溝を形成したものに比べて嵩む可能性がある。又、戸車と下枠との係合部で、引戸障子の屋内外方向に関する位置決めを図れない為、別途この引戸障子の屋内外方向に関する位置決めを図る為の構造が必要になる。
【０００４】
この様な事情を考慮した場合、下枠として上面に下部案内レールを備えたものを使用すると共に、この下部案内レールの上端縁を、この下枠の上面のうちで人や物が移動する部分よりも下方に位置させる構造を採用する事が有利である。この場合、下枠の上面に凹部を、引戸障子の移動方向に亙って設け、上記下部案内レールを、この凹部の底面から上方に突出する状態で設ける。従って上記下枠の上面には、この凹部の開口部が存在し、この開口部の中央部に上記下部案内レールの上端縁が存在する状態となる。
【０００５】
上記凹部及び下部案内レールは、上記下枠の全長に亙って設けるのに対し、上記引戸障子の長さ（幅）はこの下枠の全長よりも短い。この為、上記凹部の開口部及び下部案内レールの上端縁の長さ方向の一部は、上記引戸障子により覆われる事なく露出する。この為、当該部分の体裁が悪くなるだけでなく、異物が上記凹部内に落下した場合に、この異物を取り出しにくくなる。即ち、上記凹部の開口部のほぼ中間部に上記下部案内レールの上端縁が存在する為、この開口部は幅方向に２分割されて狭くなる。この結果、上記凹部内にピン等の異物が落下した場合に、この異物を取り出しにくくなる。
【０００６】
特許文献５には、昇降式のシャッタの両側縁部を案内する為の昇降案内溝の一部でシャッタパネルを巻き上げた場合にこのシャッタパネルの下方に露出する部分を、帯状封止材により覆う構造が記載されている。但し、この様な特許文献５に記載された構造は、鉛直方向に存在する溝の開口部を覆う事のみを意図していて、引戸装置の下枠の上面に存在する溝部の上端開口を覆う事を意図しているものではない。又、帯状封止材を巻き取り機構により巻き取る等、構造が複雑で、設置スペースが限られた引戸装置に適用する事は難しい。
【０００７】
【特許文献１】実公昭５５−１９８１４号公報
【特許文献２】特開２０００−９６９３４号公報
【特許文献３】特許第３２３３９２０号公報
【特許文献４】特許第３２３３９２１号公報
【特許文献５】特開平５−３４０１７３号公報
【発明の開示】
【発明が解決しようとする課題】
【０００８】
本発明は、上述の様な事情に鑑みて、下枠として上面に下部案内レールを備えたものを使用すると共に、この下部案内レールの上端縁を、この下枠の上面のうちで人や物が移動する部分よりも下方に位置させた構造で、下枠上面の体裁を良好にし、且つ、凹部内への異物の落下を防止できる構造を実現すべく発明したものである。
同時に本発明は、竪枠として従来から一般的に使用されていたと同程度の幅寸法を有するものを使用しても、強風時に於ける耐風圧性及び気密性を十分に確保できる構造を実現できる様にするものである。
【課題を解決するための手段】
【０００９】
本発明の引戸装置は、従来から一般的に実施されている引戸装置と同様に、下辺を構成する下框に複数の戸車を、横軸を中心とする回転自在に支持した引戸障子と、これら各戸車の外周面に全周に亙って形成した凹溝と係合する事でこの引戸障子の水平移動を案内する下部案内レールをその上面に形成した下枠を含む窓枠とを備える。
特に、本発明の引戸装置に於いては、上記下部案内レールは、上記下枠の上面に上記引戸障子の移動方向に亙って存在する凹部の底面から上方に突出した状態で設けられ、その上端縁が上記下枠の上面のうちでこの凹部の両側に存在する部分よりも上方には突出しないものである。
又、上記引戸障子の縦辺を構成する竪框の下端部と上記窓枠の端部との間に設けたカバー帯をこの引戸障子の移動に伴って移動させる事により、上記凹部の上端開口部で上記引戸障子により覆われていない部分を覆う様に構成している。
上記カバー帯は、可撓性及び押し付け力により移動可能な程度の剛性を有する弾性材製である。このカバー帯は、その一端が上記竪框の下端部に結合されると共に、中間部が、互いに直角に結合された下枠と竪枠との連続部に固定されたガイド部材の内部に設けられたガイド通路に案内されて、移動方向を水平方向から垂直方向に９０度変更されている。そして、垂直方向に移動する上記カバー帯の一部は、上記竪枠を構成する竪枠本体の内側面とこの竪枠本体の内面に添設された内側ブラケットの外側面との間に設けられた収納部内に存在している。
又、上記竪枠の内側面で、引戸障子を閉鎖位置に移動させた状態で上記竪框の側面に対向する部分に形成した係止突条にその基端部を係止したシール材を構成するシールリップを、上記竪框の側面に当接自在としている。
更に、上記竪枠と対向する竪框の下端部でこの竪框の下端部内側面と上記下框の端部との突き合わせ部に対応する部分に、鉄系金属製の補強板を添設している。
【発明の効果】
【００１０】
上述の様に構成する本発明の引戸装置の場合、下枠として上面に下部案内レールを備えたものを使用する為、引戸障子の下框に設ける戸車として、外周面に全周に亙って凹溝を形成したものを使用できる。この為、戸車自体のコストを低く抑えられる他、戸車と下部案内レールとの係合部で、引戸障子の屋内外方向に関する位置決めを図れる。従って、別途この引戸障子の屋内外方向に関する位置決めを図る為の構造を設ける必要がなく、この面からもコスト低減を図れる。
又、上記下部案内レールの上端縁を、この下枠の上面のうちで人や物が移動する部分よりも下方に位置させているので、下枠の上面を実質的に平坦にして、この人や物の移動を容易に行なえる様にできる。
又、上記下部案内レールの上端縁を上方に突出させない様にする為に上記下枠の上面に設けた凹部の上端開口部で上記引戸障子により覆われていない部分を、カバー帯により覆う為、上記下枠上面の体裁を良好にし、且つ、凹部内への異物の落下を防止できる。
【００１１】
又、垂直方向に移動する上記カバー帯の一部を収納する為の収納部を、竪枠を構成する竪枠本体の内側面とこの竪枠本体の内面に添設された内側ブラケットの外側面との間に設けている為、上記収納部を備えた竪枠を、低コストで得られる。
但し、上記竪枠本体の内側面に上記内側ブラケットを添設する事で、シール材と竪框との係り代が小さくなる。従って、何ら対策を施さない場合には、強風時に引戸障子の変形に伴って、これらシール材と竪框の側面との間に隙間が生じ、引戸装置設置部の気密性が悪化する可能性がある。
これに対して本発明の場合には、上記竪枠と下框の端部との突き合わせ部に対応する部分に、鉄系金属製の補強板を添設している為、この突き合わせ部の剛性が高くなり、強風時に於ける引戸障子の変形を抑えられる。この為、強風時にも上記隙間が生じにくくなり、引戸装置設置部の耐風圧性及び気密性を確保できる。
【発明を実施するための最良の形態】
【００１２】
本発明を実施する場合に、好ましくは、請求項２に記載した様に、竪枠と対向する竪框の下端部でこの竪框の下端部内側面と下框の端部との突き合わせ部に対応する部分に加えて、この竪框の上端部内側面と引戸障子の上辺を構成する上框の端部との突き合わせ部に対応する部分にも鉄系金属製の補強板を添設する。
この様に構成すれば、引戸障子の剛性を一層高くして、強風時の変形防止効果をより一層高め、気密性をより向上させる事ができる。
【実施例】
【００１３】
図１〜１０は、本発明の実施例を示している。本実施例は、本発明を、掃き出し窓として一般的な、引違戸に適用した場合に就いて示している。この為に本実施例の場合には、窓枠１の内側に、それぞれが特許請求の範囲に記載した引戸障子である１対のガラス障子２ａ、２ｂを、引き違い式に建て込んでいる。このうちの窓枠１は、上辺を構成する上枠３と、下辺を構成する下枠４と、左右の縦辺を構成する竪枠５ａ、５ｂとにより、矩形に構成している。これら各枠３、４、５ａ、５ｂは、それぞれアルミニウム合金の一体押し出し成形材製である。又、上記各ガラス障子２ａ、２ｂは、それぞれの上辺を構成する上框６ａ、６ｂと、同じく下辺を構成する下框７ａ、７ｂと、左右の縦辺を構成する竪框である、召し合わせ框８ａ、８ｂ及び突き合わせ框９ａ、９ｂとにより、ガラスパネル１０ａ、１０ｂの四辺を囲んで成る。これら各框６ａ、６ｂ、７ａ、７ｂ、８ａ、８ｂ、９ａ、９ｂも、アルミニウム合金の一体押し出し成形材製である。このうちの召し合わせ框８ａ、８ｂは、上記掃き出し窓の閉鎖時に上記窓枠１の中央に位置して、屋内外方向に亙り互いに対向する。これに対して上記各突き合わせ框９ａ、９ｂは、上記掃き出し窓の閉鎖時に上記窓枠１の端部に位置して、上記各竪枠５ａ、５ｂに突き合わされる。
【００１４】
上記各ガラス障子２ａ、２ｂは上記窓枠１の内側に、一般的に知られている引違戸と同様の構造により、水平移動自在に建て込まれている。この為に、上記上枠３の下面に１対の上部案内レール１１ａ、１１ｂを、屋内外方向に離隔した状態で設けている。そして、上記各召し合わせ框８ａ、８ｂ及び突き合わせ框９ａ、９ｂの上端部に支持したガイドブロック１２ａ、１２ｂに形成したガイド溝１３ａ、１３ｂに、上記各上部案内レール１１ａ、１１ｂを係合させている。この構成により、上記各ガラス障子２ａ、２ｂの上端部を、上記上枠３に沿う水平移動自在に支持している。
【００１５】
これに対して、上記下枠４に１対の下部案内レール１４ａ、１４ｂを、屋内外方向に離隔した状態で設けている。但し、本実施例の場合、一般的な引違戸を構成する下枠とは異なり、上記各下部案内レール１４ａ、１４ｂを、上記下枠４の上面にこの下枠４の全長に亙って設けた１対の凹部１５ａ、１５ｂの底面から、上方に突出した状態で設けている。又、上記各下部案内レール１４ａ、１４ｂの高さ寸法は上記各凹部１５ａ、１５ｂの深さ寸法よりも小さくして、これら各下部案内レール１４ａ、１４ｂの上端縁が、上記下枠４の上面のうちで上記各凹部１５ａ、１５ｂの両側に存在する部分よりも下方に位置する様にしている。この構成により、上記各下部案内レール１４ａ、１４ｂの存在に拘らず、上記下枠４の上面を幅の狭い上記各凹部１５ａ、１５ｂの上端開口部を除き、実質的に平坦にして、高齢者や障害者、更には車椅子等の移動を容易に行なえる様にしている。
【００１６】
この様な構成を有する上記下枠４に沿う移動を可能にする為に、上記各ガラス障子２ａ、２ｂの下辺を構成する前記下框７ａ、７ｂの両端部近傍部分に戸車１６ａ、１６ｂを、屋内外方向に設けられた横軸を中心とする回転自在に支持している。これら各戸車１６ａ、１６ｂは、従来から一般的な引違戸に使用されていた戸車と同様のもので、外周面中央部に凹溝１７ａ、１７ｂを、全周に亙り形成している。この様な凹溝１７ａ、１７ｂを設けた上記各戸車１６ａ、１６ｂをそれぞれ１対ずつ支持した上記各下框７ａ、７ｂは、上記下部案内レール１４ａ、１４ｂと上記各凹溝１７ａ、１７ａとを係合させる事で、上記下枠４の上方位置に、この下枠４に沿った水平移動を自在に支持している。
以上の構成により、上記各ガラス障子２ａ、２ｂを上記窓枠１の内側に、水平移動自在に建て込んでいる。
【００１７】
又、図示の例では、上記下枠４の屋外側端部（図７、８の左端部）上面に形成した屋外端突条１８と、上記１対の凹部１５ａ、１５ｂ同士を仕切る中央突条１９との屋内側面（図７、８の右側面）に、それぞれブラケット２０ａ、２０ｂを係止している。上記各下部案内レール１４ａ、１４ｂのうち、屋外側の下部案内レール１４ａの上半部は、屋外側のブラケット２０ａと上記中央突条１９との間に存在する。そして、上記屋外側の戸車１６ａの一部は、これらブラケット２０ａと中央突条１９との上半部同士の間に入り込んでいる。これに対して、屋内側の下部案内レール１４ｂの上半部は、屋内側のブラケット２０ｂと、上記下枠４の屋内側端部（図７、８の右端部）上面に形成した屋内端突条２１との間に存在する。そして、上記屋内側の戸車１６ｂの一部は、これら屋内側のブラケット２０ｂと屋内端突条２１との上半部同士の間に入り込んでいる。
【００１８】
又、前記各下框７ａ、７ｂの屋内側壁２２ａ、２２ｂの下端部を下方に延長する事で、それぞれ垂下壁部２３ａ、２３ｂを形成している。そして、前記屋外側のガラス障子２ａに関する垂下壁部２３ａの上下方向中間部乃至下端部を、上記屋外側の下部案内レール１４ａの上半部屋内側面と、上記中央突条１９の上半部屋外側面との間に進入させている。これに対して、前記屋内側のガラス障子２ｂに関する垂下壁部２３ｂの上下方向中間部乃至下端部を、上記屋内側の下部案内レール１４ｂの上半部屋内側面と、上記屋内端突条２１の上半部屋外側面との間に進入させている。
【００１９】
上述の様に、前記各戸車１６ａ、１６ｂの下端部と上記各垂下壁部２３ａ、２３ｂの上下方向中間部乃至下端部とを進入させた、上記各凹部１５ａ、１５ｂの上端開口部で上記各ガラス障子２ａ、２ｂの下框７ａ、７ｂにより覆われない部分は、次述するカバー帯２４ａ〜２４ｄにより覆う様にしている。上記各凹部１５ａ、１５ｂの内側面上端部には、これら各カバー帯２４ａ〜２４ｄの両側端縁を案内する為のガイド溝２５ａ、２５ｂを、互いに対向する状態で設けている。
【００２０】
上記各ガイド溝２５ａ、２５ｂは、それぞれガイド部材２６ａ、２６ｂにより構成している。このうち、各凹部１５ａ、１５ｂ毎に屋内側となる、上記中央突条１９の上端部屋外側面と上記屋内端突条２１の上端部屋外側面とに係止したガイド部材２６ａは、上端部屋外側面に設けられた上記ガイド溝２５ａと、中間部屋外側面にその基端部を連結したシールリップ２７とを備える。このうちのガイド溝２５ａは、上記各カバー帯２４ａ〜２４ｄの屋内側端縁を案内して、これら各カバー帯２４ａ〜２４ｄの屋内側端縁が、上記各凹部１５ａ、１５ｂの上端開口部から浮き上がる事を防止する。又、上記シールリップ２７の屋外側面の先端寄り部分は、上記各垂下壁部２３ａ、２３ｂの屋内側面に摺接して、上記各下框７ａ、７ｂと前記下枠４との間をシールする。一方、上記各凹部１５ａ、１５ｂ毎に屋外側となる、前記各ブラケット２０ａ、２０ｂの上端部屋内側面に係止したガイド部材２６ｂには、上記ガイド溝２５ｂのみを設け、シールリップは設けていない。
【００２１】
上述の様な両ガイド部材２６ａ、２６ｂは、上記各凹部１５ａ、１５ｂの内側面上端部に、これら各ガイド部材２６ａ、２６ｂのガイド溝２５ａ、２５ｂを同じ高さに位置させて互いに対向させた状態で設けている。そして、これら各ガイド溝２５ａ、２５ｂに、上記各カバー帯２４ａ〜２４ｄの両側端縁を係合させると共に、これら各カバー帯２４ａ〜２４ｄの一端部を前記各ガラス障子２ａ、２ｂの縦辺を構成する召し合わせ框８ａ、８ｂ又は突き合わせ框９ａ、９ｂの下端部に結合している。又、上記各カバー帯２４ａ〜２４ｄの中間部乃至他端部は、前記窓枠１の縦辺を構成する竪枠５ａ、５ｂ内に出入りさせる様にしている。この構成により、この窓枠１の下辺を構成する下枠４の上面に存在する上記各凹部１５ａ、１５ｂの上端開口部で、上記各ガラス障子２ａ、２ｂの下框７ａ、７ｂにより覆われていない部分を、上記各カバー帯２４ａ〜２４ｄにより覆う様にしている。
【００２２】
本実施例の場合、次の(1) 〜(4) に示すカバー帯２４ａ〜２４ｄにより、前記各下部案内レール１４ａ、１４ｂを設置した凹部１５ａ、１５ｂの上端開口の４個所位置を、それぞれ覆う（図２参照）。
(1) 屋外側のガラス障子２ａの突き合わせ框９ａと一方（図２の左方）の竪枠５ａの下端部との間に設け、このガラス障子２ａを解放方向（図２の右方向）に移動させた場合に、屋外側の凹部１５ａの片半部（図２の左半部）の上端開口を覆うカバー帯２４ａ。
(2) 屋外側のガラス障子２ａの召し合わせ框８ａと他方（図２の右方）の竪枠５ｂの下端部との間に設け、このガラス障子２ａを閉鎖方向（図２の左方向）に移動させた場合に、屋外側の凹部１５ａの他半部（図２の右半部）の上端開口を覆うカバー帯２４ｂ。
(3) 屋内側のガラス障子２ｂの突き合わせ框９ｂと他方の竪枠５ｂの下端部との間に設け、このガラス障子２ｂを解放方向（図２の左方向）に移動させた場合に、屋内側の凹部１５ｂの片半部（図２の右半部）の上端開口を覆うカバー帯２４ｃ。
(4) 屋内側のガラス障子２ｂの召し合わせ框８ｂと一方の竪枠５ａの下端部との間に設け、このガラス障子２ｂを閉鎖方向（図２の右方向）に移動させた場合に、屋内側の凹部１５ｂの他半部（図２の左半部）の上端開口を覆うカバー帯２４ｄ。
【００２３】
この様なカバー帯２４ａ〜２４ｄは、それぞれ金属製の巻き尺を構成する金属板の如きステンレス鋼板、或は合成樹脂を一体押し出し成形する事により造られた長尺材等、可撓性及び押し付け力により移動可能な程度の剛性を有する弾性材製である。本実施例の場合には、上記各カバー帯２４ａ〜２４ｄとして、自由状態での断面形状が円弧形となるものを使用して、これら各カバー帯２４ａ〜２４ｄの肉厚を小さく抑えつつ、上記剛性の確保を図っている。尚、これら各カバー帯２４ａ〜２４ｄの湾曲方向は、上記各凹部１５ａ、１５ｂの上端開口を覆った状態で、それぞれの上面が凸曲面となる方向としている。この理由は、上記各カバー帯２４ａ〜２４ｄと前記各下部案内レール１４ａ、１４ｂの上端縁との干渉を防止しつつ、これら各下部案内レール１４ａ、１４ｂの高さ寸法を確保する為である。
【００２４】
この様な上記各カバー帯２４ａ〜２４ｄの一端部は、それぞれ上記各ガラス障子２ａ、２ｂの召し合わせ框８ａ、８ｂ又は突き合わせ框９ａ、９ｂの下端部に結合し、これら各ガラス障子２ａ、２ｂの移動に伴って押し引きされる様にしている。上記各カバー帯２４ａ〜２４ｄの一端部を上記各框８ａ、８ｂ、９ａ、９ｂの下端部に結合する為の構造は特に問わない。それぞれの両端縁を前記各ガイド溝２５ａ、２５ｂに係合させた上記各カバー帯２４ａ〜２４ｄの一端部を上記各框８ａ、８ｂ、９ａ、９ｂの下端部に結合し、上記各ガラス障子２ａ、２ｂの移動に伴って上記各カバー帯２４ａ〜２４ｄの一端部が押し引きされる構造であれば良い。図３、４、８には、次述する図９に示した構造とは異なる構造を記載しているが、本発明の要旨とは関係しない為、説明は省略する。
【００２５】
図９は、上述の様に、上記各カバー帯２４ａ〜２４ｄの一端部を上記各框８ａ、８ｂ、９ａ、９ｂの下端部に結合する部分の構造の１例を示している。この構造では、上記各カバー帯２４ａ〜２４ｄの一端部に係止孔２８を形成すると共に、上記各框８ａ、８ｂ、９ａ、９ｂの下端部外側面に係止ブラケット２９を固定している。そして、この係止ブラケット２９に垂下した係止ピン３０を上記係止孔２８に挿入する事により、上記各框８ａ、８ｂ、９ａ、９ｂの動きを上記各カバー帯２４ａ〜２４ｄの一端部に伝達自在としている。尚、上記各框８ａ、８ｂ、９ａ、９ｂに対する上記係止ブラケット２９の上下取付位置は、若干の調節自在として、上記各ガラス障子２ａ、２ｂの高さ調節に拘らず、上記係止ピン３０と上記係止孔２８とが確実に係合する様にする。
【００２６】
又、前記下枠４の両端部のそれぞれ２個所位置ずつ、合計４個所位置に、それぞれ図１０に示す様なガイドブラケット３１ａ、３１ｂを設けている。これら各ガイドブラケット３１ａ、３１ｂ内には、上記各カバー帯２４ａ〜２４ｄの方向を９０度変更する為のガイド通路が設けられている。このガイド通路は、水平部と鉛直部とを四分の一円弧状の湾曲部により滑らかに連続させて成る。この様なガイド通路を有する上記各ガイドブラケット３１ａ、３１ｂは、それぞれ上記下枠４の両端部上面と前記各竪枠５ａ、５ｂの下端部内側面との間に掛け渡している。この状態で、上記各ガイドブラケット３１ａ、３１ｂのガイド通路の水平部側開口端部は、前記各凹部１５ａ、１５ｂの水平方向端上端部に、同じく鉛直部側開口部は上記各竪枠５ａ、５ｂに設けた収納部３２ａ〜３２ｄの下端開口部に、それぞれ整合している。
【００２７】
図示の例では、上記各ガイドブラケット３１ａ、３１ｂのうち、召し合わせ框８ａ、８ｂに対向するガイドブラケット３１ａは、この召し合わせ框８ａ、８ｂと竪枠５ａ、５ｂとが衝突するのを防止するストッパとしての機能を備える為、上記下枠４の長さ方向の寸法を確保している。これに対して、突き合わせ框９ａ、９ｂに対向するガイドブラケット３１ｂは、この突き合わせ框９ａ、９ｂが上記竪枠５ａ、５ｂに十分に近接できる様にする為、上記下枠４の長さ方向の寸法を小さくしている。内部に設けるガイド通路の形状に就いては、上記各ガイドブラケット３１ａ、３１ｂ同士の間で、基本的な差はない。
【００２８】
又、上記各収納部３２ａ〜３２ｄを設ける為に、上記各竪枠５ａ、５ｂはそれぞれ、図２〜４に示す様に、竪枠本体３３ａ、３３ｂの内側面に、内側ブラケット３４ａ、３４ｂを突き合わせ結合して成る。即ち、本実施例の場合には、上記各収納部３２ａ〜３２ｄを設ける為に、上記各竪枠本体３３ａ、３３ｂの内側面に上記各内側ブラケット３４ａ、３４ｂを添設して、上記各竪枠５ａ、５ｂとしている。そして、上記各竪枠本体３３ａ、３３ｂの内側面とこれら各内側ブラケット３４ａ、３４ｂの外側面との間の隙間の一部を、上記各収納部３２ａ〜３２ｄとしている。尚、上記各内側ブラケット３４ａ、３４ｂは、上記各竪枠本体３３ａ、３３ｂの下端部には設けず、この下端部には、上記各ガイドブラケット３１ａ、３１ｂの一部を突き当てている。そして、上記各収納部３２ａ〜３２ｄの下端開口部と、これら各ガイドブラケット３１ａ、３１ｂのガイド通路の鉛直部側（上端）開口部とは、互いに突き合わせ、上記各収納部３２ａ〜３２ｄと上記ガイド通路とを連続させている。この構成により、これら各収納部３２ａ〜３２ｄとガイド通路との間で、上記各カバー帯２４ａ〜２４ｄを受け渡し自在としている。
【００２９】
尚、本実施例の場合には、上記各収納部３２ａ〜３２ｄの内面のうちで上記各カバー帯２４ａ〜２４ｄと摺接する部分を、合成樹脂製のライナ部材３５、３５により覆って、上記各収納部３２ａ〜３２ｄ内での上記各カバー帯２４ａ〜２４ｄの移動に対する摩擦抵抗の低減を図っている。又、本実施例の場合には、前記各ガイド部材２６ａ、２６ｂに形成した前記各ガイド溝２５ａ、２５ｂの水平方向端部と、上記各ガイドブラケット３１ａ、３１ｂのガイド通路の水平部側開口部とを、互いに突き合わせ、上記各ガイド溝２５ａ、２５ｂと上記ガイド通路とを連続させている。この構成により、これら各ガイド溝２５ａ、２５ｂとガイド通路との間で、上記各カバー帯２４ａ〜２４ｄを受け渡し自在としている。
【００３０】
又、前記各竪枠５ａ、５ｂの内側面の中央部及び屋内側端部で、前記各ガラス障子２ａ、２ｂを閉鎖位置に移動させた状態で、前記各突き合わせ框９ａ、９ｂの屋内側面に対向する部分に、それぞれ係止突条３６ａ、３６ｂを形成している。これら各係止突条３６ａ、３６ｂの先半部で上記各突き合わせ框９ａ、９ｂの屋内側面に対向する部分に形成した、あり溝状の係止溝３７ａ、３７ｂには、それぞれシール材３８、３８の基端部を係止している。これら各シール材３８は、それぞれ複数本のシールリップ３９ａ、３９ｂを備える。この様な各シールリップ３９ａ、３９ｂは、上記各ガラス障子２ａ、２ｂを閉鎖位置に移動させた状態で上記各突き合わせ框９ａ、９ｂの一部（端縁乃至屋内側面）に弾性的に当接し、これら各突き合わせ框９ａ、９ｂと上記各竪枠５ａ、５ｂとの間の気密を保持する。
【００３１】
本実施例の場合、上記各竪枠５ａ、５ｂの幅寸法Ｗは、前述の様な各収納部３２ａ〜３２ｄを設けていない（一般的な）引戸装置を構成する竪枠の場合と同じにしている。この理由は、竪枠の幅寸法が大きくなる事で、引戸障子設置部分の意匠が変わる（重たい感じになる）事を防止すると共に、窓の開口面積を確保する為である。この様な理由により、上記各収納部３２ａ〜３２ｄを設けているにも拘らず、上記各竪枠５ａ、５ｂの幅寸法Ｗを大きくしていない為、本実施例の場合には、上記各ガラス障子２ａ、２ｂを閉鎖位置に移動させた状態での、上記各突き合わせ框９ａ、９ｂと上記各シール材３８、３８との係り代（上記各ガラス障子２ａ、２ｂの移動方向に関するオーバラップ量）Ｌが小さくなる。この係り代Ｌが小さくなると、強風時等に上記各ガラス障子２ａ、２ｂが変形した場合に、上記各突き合わせ框９ａ、９ｂと上記各シール材３８、３８との間に隙間が生じ易くなり、隙間が生じた場合には上記気密を十分に保持できなくなる（室内に隙間風が入り込む）。
【００３２】
本実施例の場合には、この様な事情を考慮して、上記各突き合わせ框９ａ、９ｂの下端部と前記下框７ａ、７ｂとの結合部を、図５に示す様な補強板４０により補強し、上記各ガラス障子２ａ、２ｂが変形しにくくしている。この補強板４０は、ＳＰＣＣの如き炭素鋼板等の鉄系金属板で、十分な剛性を確保すべく、１．５〜２mm程度の厚さを有する。この様な補強板４０の中央部には、前記戸車１６ａ、１６ｂの高さ調節を行なう工具（ドライバ）を挿通する為の通孔４１を形成している。又、両端部近傍には、上記各突き合わせ框９ａ、９ｂの下端部を挿通し、上記各下框７ａ、７ｂに形成したタッピング溝４２、４２に螺合するタッピングねじを挿通する為の小通孔４３、４３を形成している。更に、上記通孔４１と何れかの小通孔４３との間に、ねじ孔４４を形成している。このねじ孔４４は、上記各突き合わせ框９ａ、９ｂの下端部と上記各下框７ａ、７ｂの一端部とを上記タッピングねじにより結合するのに先立って、上記補強板４０を上記各突き合わせ框９ａ、９ｂの下端部に、ねじ４５により仮固定する為に利用する。
【００３３】
上記各タッピングねじを上記各タッピング溝４２、４２に螺合し更に緊締する事で、上記各突き合わせ框９ａ、９ｂの下端部と上記各下框７ａ、７ｂの一端部とを結合固定した状態では、これら各突き合わせ框９ａ、９ｂの下端部が、上記各タッピングねじの頭部と上記補強板４０との間で強く挟持される。これら各突き合わせ框９ａ、９ｂは、鉄系金属に比べて軟らかいアルミニウム合金製であるが、上記補強板４０を添設する事で、上記各下框７ａ、７ｂの一端部との結合部の剛性が向上する。この為、強風時等に上記各ガラス障子２ａ、２ｂに加わる外力に拘らず、これら各ガラス障子２ａ、２ｂが変形しにくくなる。以上の説明は、上記各突き合わせ框９ａ、９ｂの下端部と上記各下框７ａ、７ｂの一端部との結合部に就いて行なったが、これら各突き合わせ框９ａ、９ｂの上端部と前記各上框６ａ、６ｂの一端部との結合部に就いても、同様に構成する。前記各召し合わせ框８ａ、８ｂの上下両端部と上記各下框７ａ、７ｂ及び上記各上框６ａ、６ｂの他端部との結合部に就いては、必ずしも補強板を設ける必要はない。但し、補強板を設ける事で、前記各ガラス障子２ａ、２ｂをより変形しにくくすれば、シール性をより確保できる。
尚、メンテナンス性を考慮した場合には、上記ねじ孔４４に代えて通孔を形成すると共に上記突き合わせ框９ａ、９ｂの側に下孔を形成し、図６に示す様に、補強板４０を上記各突き合わせ框９ａ、９ｂの下端部に固定する為の（框結合用とは別の）タッピングねじ４６を、図３、４とは逆側から螺着する事もできる。
【００３４】
上述の様に構成する本実施例の場合、前記各ガラス障子２ａ、２ｂを移動させれば、当該ガラス障子２ａ、２ｂの召し合わせ框８ａ、８ｂ及び突き合わせ框９ａ、９ｂと前記各竪枠５ａ、５ｂとの間で前記各カバー帯２４ａ〜２４ｄの受け渡しが行なわれる。そして、前記各凹部１５ａ、１５ｂの一部で、上記各ガラス障子２ａ、２ｂの下框７ａ、７ｂにより覆われない部分を、上記各カバー帯２４ａ〜２４ｄにより覆う。即ち、上記各ガラス障子２ａ、２ｂの移動に伴って、上記各框８ａ、８ｂ、９ａ、９ｂが、対向する竪枠５ａ、５ｂから離れると、当該竪框８ａ、８ｂ、９ａ、９ｂの下端部に結合された上記各カバー帯２４ａ〜２４ｄが、当該竪枠５ａ、５ｂの収納部３２ａ〜３２ｄから、前記ガイドブラケット３１ａ、３１ｂに設けたガイド通路部分で方向を９０度変更されつつ、引き出される。そして、これら各カバー帯２４ａ〜２４ｄが、上記各竪框８ａ、８ｂ、９ａ、９ｂの下端部と上記各竪枠５ａ、５ｂの下端部との間に掛け渡された状態で、上記各凹部１５ａ、１５ｂの上端開口で、上記各竪框８ａ、８ｂ、９ａ、９ｂの下端部と上記各竪枠５ａ、５ｂの下端部との間に露出した部分を覆う。この状態では、この下枠４の上面のうちで上記各竪框８ａ、８ｂ、９ａ、９ｂの下端部と上記各竪枠５ａ、５ｂの下端部との間部分の体裁を良好にし、且つ、この間部分で、上記各凹部１５ａ、１５ｂ内に異物が落下する事を防止できる。
【００３５】
又、本実施例の場合には、上記各収納部３２ａ〜３２ｄから引き出されて上記各凹部１５ａ、１５ｂの一部を覆った、上記各カバー帯２４ａ〜２４ｄの両側端縁が、上記各ガイド溝２５ａ、２５ｂに係止された状態となる。この為、これら各カバー帯２４ａ〜２４ｄの両側端縁が上記各凹部１５ａ、１５ｂの開口縁部から浮き上がる事を確実に防止できる。この結果、これら各凹部１５ａ、１５ｂ内に細かい異物が入り込んだり、上記各カバー帯２４ａ〜２４ｄに何らかの物が引っ掛かる事を有効に防止できる。
【００３６】
一方、上記各ガラス障子２ａ、２ｂの移動に伴って、上記各框８ａ、８ｂ、９ａ、９ｂが対向する竪枠５ａ、５ｂに近づくと、当該竪框８ａ、８ｂ、９ａ、９ｂの下端部に結合された上記各カバー帯２４ａ〜２４ｄが、当該竪枠５ａ、５ｂの収納部３２ａ〜３２ｄ内に、前記ガイドブラケット３１ａ、３１ｂに設けたガイド通路部分で方向を９０度変更されつつ、押し込まれる。上記各カバー帯２４ａ〜２４ｄは、金属製の巻き尺の如き性状で、押し付け方向に対し或る程度の剛性を有するので、上記各ガラス障子２ａ、２ｂの移動に伴って、上記各収納部３２ａ〜３２ｄ内に確実に押し込まれる。
【００３７】
更に、本発明の場合には、前述の様な理由により、前記各シール材３８、３８と上記各突き合わせ框９ａ、９ｂとの係り代Ｌが小さいが、前述の様に各框同士の結合部の剛性を向上させているので、強風時等にも、上記各ガラス障子２ａ、２ｂが変形しにくい。この為、上記各シール材３８、３８と上記各突き合わせ框９ａ、９ｂとの間に隙間が生じにくくなり、引戸装置設置部の気密性を確保できる。
【産業上の利用可能性】
【００３８】
図示の実施例は、本発明を引違戸に適用した場合に就いて説明した。これに対して本発明は、図示の様な引違戸に限らず、障子を水平方向に移動して開口部の開閉を行なう引戸装置であれば実施できる。例えば、引戸障子を１枚のみ設けた引戸でも、本発明を実施する事はできる。
【図面の簡単な説明】
【００３９】
【図１】本発明の実施例１を示す、引戸障子を屋内側から見た略正面図。
【図２】一部を省略して示す、図１の拡大Ａ−Ａ断面図。
【図３】図２の右端部拡大図。
【図４】同左端部拡大図。
【図５】突き合わせ框の下端部と下框との結合部を補強する為の補強板を示す側面図。
【図６】メンテナンス性を考慮して、補強板を突き合わせ框に固定する状態を示す、図３と同様の図。
【図７】図１の拡大Ｂ−Ｂ断面図。
【図８】図７の下端部拡大図。
【図９】カバー帯の端部と竪框の下端部との結合部の１例を示す略斜視図。
【図１０】ガイドブラケットを設けた窓枠の下隅角部の略斜視図。
【符号の説明】
【００４０】
１    窓枠
２ａ、２ｂ  ガラス障子
３    上枠
４    下枠
５ａ、５ｂ  竪枠
６ａ、６ｂ  上框
７ａ、７ｂ  下框
８ａ、８ｂ  召し合わせ框
９ａ、９ｂ  突き合わせ框
１０ａ、１０ｂ  ガラスパネル
１１ａ、１１ｂ  上部案内レール
１２ａ、１２ｂ  ガイドブロック
１３ａ、１３ｂ  ガイド溝
１４ａ、１４ｂ  下部案内レール
１５ａ、１５ｂ  凹部
１６ａ、１６ｂ  戸車
１７ａ、１７ｂ  凹溝
１８    屋外端突条
１９    中央突条
２０ａ、２０ｂ  ブラケット
２１    屋内端突条
２２ａ、２２ｂ  屋内側壁
２３ａ、２３ｂ  垂下壁部
２４ａ、２４ｂ、２４ｃ、２４ｄ  カバー帯
２５ａ、２５ｂ  ガイド溝
２６ａ、２６ｂ  ガイド部材
２７  シールリップ
２８    係止孔
２９    係止ブラケット
３０    係止ピン
３１ａ、３１ｂ  ガイドブラケット
３２ａ、３２ｂ、３２ｃ、３２ｄ  収納部
３３ａ、３３ｂ  竪枠本体
３４ａ、３４ｂ  内側ブラケット
３５    ライナ部材
３６ａ、３６ｂ  係止突条
３７ａ、３７ｂ  係止溝
３８    シール材
３９ａ、３９ｂ  シールリップ
４０    補強板
４１    通孔
４２    タッピング溝
４３    小通孔
４４    ねじ孔
４５    ねじ
４６    タッピングねじ
【図１】
2005226324.tif 000003
【図２】
2005226324.tif 000004
【図３】
2005226324.tif 000005
【図４】
2005226324.tif 000006
【図５】
2005226324.tif 000007
【図６】
2005226324.tif 000008
【図７】
2005226324.tif 000009
【図８】
2005226324.tif 000010
【図９】
2005226324.tif 000011
【図１０】
2005226324.tif 000012